(57)【要約】【課題】配管の都合で表示面を読み取りにくい場所に設置されていても、簡易な構成で確実な検針作業を可能とするガスメータを提供する。【解決手段】ガスメータ１０は、計量値を表示する表示部１２と、表示部１２を保持する本体部１５とを備える。本体部１５は、表示部１２の両端に設けられた支持軸１１を回動可能に保持するための軸受け部を備え、軸受け部で保持されたいずれか一方の支持軸１１を中心に表示部１２を本体部１５に対して回動させる。軸受け部は、支持軸１１を着脱可能に嵌合させ、支持軸１１を回動させるための嵌合部１４が形成され、嵌合部１４に嵌合された両端の支持軸１１のうち、一方の支持軸１１を嵌合部１４から取り外し、他方の支持軸１１を中心にして表示部１２を本体部１５に対して左右いずれにも回動可能とする。【選択図】図２
2008281352.tif 000002
【特許請求の範囲】
【請求項１】
計量値を表示する表示部と、該表示部を保持する本体部とを備えたガスメータであって、
前記本体部は、前記表示部の両端に設けられた支持軸を回動可能に保持するための軸受け部を備え、
前記軸受け部で保持されたいずれか一方の支持軸を中心に前記表示部を前記本体部に対して回動させることを特徴とするガスメータ。
【請求項２】
請求項１に記載のガスメータにおいて、前記軸受け部は、前記支持軸を着脱可能に嵌合させ、該支持軸を回動させるための嵌合部が形成され、
前記嵌合部に嵌合された前記両端の支持軸のうち、一方の前記支持軸を前記嵌合部から取り外し、他方の前記支持軸を中心にして前記表示部を前記本体部に対して左右いずれにも回動可能としたことを特徴とするガスメータ。
【請求項３】
請求項２に記載のガスメータにおいて、前記軸受け部は、弾性部材で構成されていることを特徴とするガスメータ。
【請求項４】
請求項１乃至３のいずれか１項に記載のガスメータにおいて、前記本体部に対して回動させた前記表示部を、前記本体部に対して直角に固定するための保持部材を備えることを特徴とするガスメータ。
【発明の詳細な説明】
【技術分野】
【０００１】
本発明は、ガスメータ、より詳細には、住宅家屋等に設置されるガスメータの構造に関するものである。
【背景技術】
【０００２】
従来、ガスメータは通常ガス管の配管に沿って平行に設置されるため、一体構造となっており、表示面は１方向に限定される。ガスメータを一般の住宅家屋等に設置する場合、表示面が通り側を向いているときは、検針作業者は表示面と相対することが可能なため、容易に計量値を読むことが出来る。一方、配管の都合上、住居と住居の間でかつ表示面が隣の住居を向いてしまうような場合には、表示面の計量値を読み取ることは非常に困難な作業となる。
【０００３】
このようなケースに対応する措置としては、特注品の手鏡を用いて表示面を映し反対文字を読み替えながら検針を行う、あるいは、検針作業者が狭い住居の間に無理やり体を入れ正面から表示面を見て検針を行う、などの方法が考えられる。
【０００４】
さらには、特許文献１，２に記載されているような、遠隔カウンタによる検針方法がある。これによれば、計量値を表示する表示ユニットを検針可能な遠隔地に設置する構成が開示されている。
【特許文献１】実用新案登録第２６０４８８３号公報
【特許文献２】実用新案登録第２６０４８８４号公報
【発明の開示】
【発明が解決しようとする課題】
【０００５】
しかしながら、前述した手鏡では反対文字の読み替えが発生し、また文字の読み違いも起き易いという問題がある。
また、検針作業者が狭い住居の間に無理やり体を入れたのでは身体的な苦痛が発生し、作業者の負担が大きい。
【０００６】
また、特許文献１，２に記載されている従来技術の場合、ガスメータとは別に表示ユニットが必要となるために装置構成が複雑となり、さらに、遠隔地に設置された表示ユニットとガスメータとを有線あるいは無線で接続する必要があり、このための工事費用もかかることとなる。
【０００７】
本発明は、上述のごとき実情に鑑みてなされたものであり、配管の都合で表示面を読み取りにくい場所に設置されていても、簡易な構成で確実な検針作業を可能とするガスメータを提供すること、を目的とする。
【課題を解決するための手段】
【０００８】
上記課題を解決するために、請求項１の発明は、計量値を表示する表示部と、該表示部を保持する本体部とを備えたガスメータであって、前記本体部は、前記表示部の両端に設けられた支持軸を回動可能に保持するための軸受け部を備え、前記軸受け部で保持されたいずれか一方の支持軸を中心に前記表示部を前記本体部に対して回動させることを特徴としたものである。
【０００９】
請求項２の発明は、請求項１の発明において、前記軸受け部は、前記支持軸を着脱可能に嵌合させ、該支持軸を回動させるための嵌合部が形成され、前記嵌合部に嵌合された前記両端の支持軸のうち、一方の前記支持軸を前記嵌合部から取り外し、他方の前記支持軸を中心にして前記表示部を前記本体部に対して左右いずれにも回動可能としたことを特徴としたものである。
【００１０】
請求項３の発明は、請求項２の発明において、前記軸受け部は、弾性部材で構成されていることを特徴としたものである。
【００１１】
請求項４の発明は、請求項１乃至３のいずれか１の発明において、前記本体部に対して回動させた前記表示部を、前記本体部に対して直角に固定するための保持部材を備えることを特徴としたものである。
【発明の効果】
【００１２】
本発明によれば、ガスメータが配管の都合で表示面を読み取りにくい場所に設置されていても、簡易な構成で確実な検針作業を可能とし、配管の都合によらず検針を行うことができる。
また、ガスメータの左右どちらにも表示面を回動できるようにしたため、計量値の読み違いを防止すると共に、作業者に身体的負担をかけずに検針作業を行うことができる。
【発明を実施するための最良の形態】
【００１３】
以下、添付図面を参照しながら、本発明のガスメータに係る好適な実施の形態について説明する。
【００１４】
図１は、本発明の一実施形態に係るガスメータの構成例を示す外観図で、図中、１０はガスメータを示す。図１（Ａ）はガスメータ１０の正面図、図１（Ｂ）はガスメータ１０の側面図を示す。ガスメータ１０は、ガスの計量値を表示する表示部１２と、表示部１２を保持する本体部１５とを備える。本体部１５は、表示部１２の両端に設けられた支持軸１１を回動可能に保持するための軸受け部１３を備え、軸受け部１３で保持されたいずれか一方の支持軸１１を中心に表示部１２を本体部１５に対して回動させる。
【００１５】
すなわち、軸受け部１３には、支持軸１１を着脱可能に嵌合させ、支持軸１１を回動させるための嵌合部１４が形成されている。嵌合部１４は断面が略半円形状の凹部を形成し、支持軸１１の幅（直径）よりもわずかに大きい径を持つ。そして、嵌合部１４に嵌合された両端の支持軸１１のうち、一方の支持軸１１を嵌合部１４から取り外し、他方の支持軸１１を中心にして表示部１２を本体部１５に対して左右いずれにも回動可能とする。
【００１６】
図２は、図１（Ａ）に示したガスメータのＸＸ断面を示す図である。ここでは図中左方向に表示部１２を回動させたときの状態を示す。もちろん、図中右方向に表示部１２を回動させることもできる。軸受け部１３は、樹脂などの弾性部材で構成されており、嵌合部１４に支持軸１１を着脱可能に嵌合させることができる。このような構成にすることで、ガスメータ１０の左右どちらにも表示部１２を回動させることができる。
【００１７】
また、ガスメータ１０は、検針し易い方向に表示部１２を回動させた状態で、本体部１５に対して直角に固定するための保持部材１６を備える。表示部１２と本体部１５は保持部材１６でねじ止め固定されることで、検針作業者が見易い位置に表示部１２が固定され、検針作業を容易且つ確実に行うことが可能となる。
【００１８】
図１及び図２のように構成されたガスメータ１０において、配管上の都合によりガスメータ１０の正面から表示部１２を見ることができず、表示部１２を左方向に回動させて検針作業を行う場合について説明する。
【００１９】
ガスメータ１０の設置工事の際に、表示部１２の右側の支持軸１１を、軸受け部１３の嵌合部１４から取り外し、左側の支持軸１１を中心にして表示部１２を本体部１５に対して左側に回動させる。そして、保持部材１６を図２に示す位置にセットし、表示部１２と本体部１５にねじ止め固定する。このようにして表示部１２を本体部１５に固定した後、必要に応じて表示部１２の表示面を読み取って検針作業を行うことができる。
【００２０】
以上に説明したように、本発明によれば、ガスメータが配管の都合で表示面を読み取りにくい場所に設置されていても、簡易な構成で確実な検針作業を行うことができるため、計量値の読み間違いを防止することができ、また、無理な体勢での読み取り作業を行わなくてすむため、検針作業者の負担が軽減する。
【図面の簡単な説明】
【００２１】
【図１】本発明の一実施形態に係るガスメータの構成例を示す外観図である。
【図２】図１（Ａ）に示したガスメータのＸＸ断面を示す図である。
【符号の説明】
【００２２】
１０…ガスメータ、１１…支持軸、１２…表示部、１３…軸受け部、１４…嵌合部、１５…本体部、１６…保持部材。
【図１】
2008281352.tif 000003
【図２】
2008281352.tif 000004